(57)【要約】【課題】パネル計器において、ケースをパネルに取り付けの作業が、一人でも容易に、かつ簡潔な工程で行うことができるパネル計器を実現することにある。【解決手段】本発明は、パネルに取り付けられるパネル計器において、ケースと、このケースの側面に一端が取り付けられ、弾性を有する弾性板と、この弾性板の他端に取り付けられ、前記パネルに押し当てるネジが挿入される貫通穴を有する取り付け部材とを設けたことを特徴とするものである。【選択図】図１
2010271195.tif 000002
【特許請求の範囲】
【請求項１】
パネルに取り付けられるパネル計器において、
ケースと、
このケースの側面に一端が取り付けられ、弾性を有する弾性板と、
この弾性板の他端に取り付けられ、前記パネルに押し当てるネジが挿入される貫通穴を有する取り付け部材と
を設けたことを特徴とするパネル計器。
【請求項２】
パネルに取り付けられるパネル計器において、
ケースと、
このケースの側面に一端が取り付けられ、弾性を有する弾性板と、
この弾性板の他端に取り付けられる取り付け部材と、
前記パネルに取り付けられ、前記取り付け部材が嵌合する穴を有する固定部材と
を設けたことを特徴とするパネル計器。
【発明の詳細な説明】
【技術分野】
【０００１】
本発明は、パネルに取り付けられるパネル計器に関し、取り付け部材がケースと一体化していることで、ケースをパネルに取り付ける作業が一人でも容易に、かつ簡潔な工程で行うことができるパネル計器に関するものである。
【背景技術】
【０００２】
パネル計器は、例えば温度調節計等で、表示部等の前面部と、基板等を収納するケースにより構成され、例えば、実開平５−８７５２４公報などに記載されている。
【０００３】
このような装置の構成を図３，４に示す。図３（ａ）は上面図、図３（ｂ）は側面図、図４は図３に示す装置の組立斜視図である。パネル計器１は、前面部２と、ケース３により構成される。パネル４には、パネル計器１のケース３の部分を挿入する開口部５が設けられている。ケース３の上下の側面には、パネル計器１をパネル４に固定するための取り付け部材３０を取り付けられるように、取り付け部材３０の足部３１を嵌め込むための嵌め穴３２を有している。取り付け部材３０は、パネル４に押し当てて固定するためのネジ３３と、このネジ３３を挿入するため内周にネジ山を有する貫通穴であるネジ穴３４を有する。
【０００４】
このような装置の取り付け動作を説明する。パネル計器１のケース３の部分をパネル４の正面方向から開口部５に挿入する。完全に挿入した後、ケース３の側面の嵌め穴３２に取り付け部材３０の足部３２を嵌め込む。完全に嵌め込んだ後、取り付け部材３０のネジ穴３４にネジ３３を挿入し、ネジ３３を回転させ、ネジ３３の先端をパネル４の裏面に押し当てる方向に締め付けることで、パネル計器１をパネル４に固定する。
【先行技術文献】
【特許文献】
【０００５】
【特許文献１】実開平５−８７５２４公報
【発明の概要】
【発明が解決しようとする課題】
【０００６】
しかしながら、このような装置では、ケース３をパネル４の開口部５に挿入後に、ケース３とは別部品である取り付け部材３０を用いて、パネル４に固定しなければならないため、一人での作業は容易ではなく、また、部品点数も多いため、作業効率が悪いという問題点があった。
【０００７】
そこで、本発明の目的は、ケースをパネルに取り付ける作業を、一人でも容易に、かつ簡潔な工程で行うことができるパネル計器を実現することにある。
【課題を解決するための手段】
【０００８】
このような課題を達成するために、本発明のうち請求項１記載の発明は、
パネルに取り付けられるパネル計器において、
ケースと、
このケースの側面に一端が取り付けられ、弾性を有する弾性板と、
この弾性板の他端に取り付けられ、前記パネルに押し当てるネジが挿入される貫通穴を有する取り付け部材と
を設けたことを特徴とするものである。
請求項２記載の発明は、
パネルに取り付けられるパネル計器において、
ケースと、
このケースの側面に一端が取り付けられ、弾性を有する弾性板と、
この弾性板の他端に取り付けられる取り付け部材と、
前記パネルに取り付けられ、前記取り付け部材が嵌合する穴を有する固定部材と
を設けたことを特徴とするものである。
【発明の効果】
【０００９】
本発明によれば、ケースの側面に弾性を有する弾性板の一端が取り付けられ、この弾性板のもう一端に取り付け部材が取り付けられていることで、ケースと取り付け部材が一体化しているので、ケースをパネルに取り付ける作業を、一人でも容易に、かつ簡潔な工程で行える。
【図面の簡単な説明】
【００１０】
【図１】本発明の一実施例を示した構成図である。
【図２】本発明の他の実施例を示した構成図である。
【図３】従来のパネル計器の構成図である。
【図４】図３に示す装置の組立斜視図である。
【発明を実施するための形態】
【００１１】
以下本発明を、図面を用いて詳細に説明する。図１は本発明の一実施例を示した構成図である。（ａ）は上面図、（ｂ）は側面図である。パネル計器１は、例えば温度調節計等で、表示部等である前面部２と、基板等を収納するケース３から構成される。パネル４には開口部５が設けられ、この開口部５に、ケース部３が挿入される。弾性を有する弾性板６は、一端がケース３の上下の側面に取り付けられる。取り付け部材７は、弾性板６の他端に取り付けられ、パネル４に押し当てて固定するためのネジ８と、このネジ８を挿入するためにねじ山が内周に切られた貫通穴であるネジ穴９を有する。
【００１２】
このような装置の取り付け動作を説明する。パネル計器１のケース３の部分をパネル４の正面方向から開口部５に挿入する。挿入の際、取り付け部材７がパネルの開口部５を通過時には、弾性板６がたわむことで、取り付け部材７がケース３の内側に沈み込み、挿入の障害とならない。また、通過後には弾性板６のたわみが戻ることで、取り付け部材７のケース３の内側への沈み込みが解消する。ケース３を開口部５へ完全に挿入後、取り付け部材７のネジ穴９にネジ８を挿入しネジ８をパネル４の裏面に押し当てる方向に締め付けることで、パネル計器１がパネル４に固定される。
【００１３】
このように、ケース３の側面に弾性を有する弾性板６の一端が取り付けられ、この弾性板６の他端に取り付け部材７が取り付けられていることで、ケース３と取り付け部材７が一体化しているので、ケースをパネルに取り付ける作業を、一人でも容易に、かつ簡潔な工程で行うことができる。
【００１４】
次に他の実施例を図２に示し説明する。（ａ）は上面図、（ｂ）は側面図である。ここで、図１と同一ものは同一符号を付し説明を省略する。固定部材４０は、矩形状の板材で、パネル４の背面側の開口部５の上下の縁部に、パネル４に対して直角、かつ、ケース３が開口部５に挿入された際に長手面がケース３の側面と接するよう取り付けられる。穴４１は、固定部材４０のケース３の側面と接する面に設けられ、ケース３を開口部５に挿入した際に、取り付け部材７と嵌合する。
【００１５】
このような装置の動作を以下に説明する。パネル計器１のケース３の部分をパネル４の正面方向から開口部５に挿入する。この挿入の際には弾性板６がたわみ、取り付け部材７はケース内側に沈み込んで挿入の障害とならない。さらに挿入し、固定部材４０の穴４１の位置で、弾性板６のたわみが戻り、沈み込みが解消し、穴４１に取り付け部材７が嵌まり込むことで、パネル計器１がパネル４に固定される。このように、パネルに固定するためのネジは不要となり、固定用の部品点数をさらに減らすことが出来る。
【００１６】
なお、本実施例では固定部材４０は矩形状の板材としたが、矩形状ではなく例えば、固定板４０はケース３の外周を覆うような、中空の四角柱状としても良い。
また、弾性板６、取り付け部材７は、ケース３の上下の側面に取り付けられる構成を示したが、左右の側面に取り付けられる構成としても良い。
そして、取り付け部材７は、図２に示す装置に用いられる場合は、ネジ穴を設けなくとも良い。
【符号の説明】
【００１７】
１  パネル計器
２  前面部
３  ケース
４  パネル
５  開口部
６  弾性板
７  取り付け部材
８  ネジ
９  ネジ穴
４０  固定部材
４１  穴
【図１】
2010271195.tif 000003
【図２】
2010271195.tif 000004
【図３】
2010271195.tif 000005
【図４】
2010271195.tif 000006